(57)【特許請求の範囲】
【請求項１】
複数の導光部を含み、
前記導光部の一方の端部に設けられた入射面は、３次元直交座標系の第１の軸方向に一列に配列され、
前記導光部の他方の端部に設けられた出射面は、前記第１の軸方向に直交する第２の軸方向に一列に配列され、
前記導光部は、ｉ）前記入射面から、前記第１の軸方向と前記第２の軸方向の両方に直交する第３の軸方向に延在する第１の直線部と、ｉｉ）前記第１の直線部に接続される第１の屈曲部分と、ｉｉｉ）前記第１の屈曲部分に接続され、前記第２の軸方向に延在する第２の直線部と、ｉｖ）前記第２の直線部に接続される第２の屈曲部分と、ｖ）前記第２の屈曲部分に接続され、前記第１の軸方向に延在し、端部に前記出射面を有する第３の直線部と、を含み、
前記第２の直線部の前記第２の軸方向における高さは、前記出射面の前記第２の軸方向における高さが一番高い導光部から、前記入射面の配列方向に沿って順番に小さくなるように設定されており、
前記第２の直線部の前記第１の軸の上における位置は、他の前記第２の直線部の前記第１の軸の上における位置と重ならないように設定されており、
複数の前記導光部では、前記第２の軸方向における前記入射面と前記出射面との距離が長いほど、前記第１の軸方向における前記入射面と前記出射面との距離が短くなる、
導光体。
【請求項２】
複数の導光部を含み、
前記導光部の一方の端部に設けられた入射面は、３次元直交座標系の第１の軸方向に一列に配列され、
前記導光部の他方の端部に設けられた出射面は、前記第１の軸方向に直交する第２の軸方向に一列に配列され、
前記導光部は、ｉ）前記入射面から、前記第１の軸方向と前記第２の軸方向の両方に直交する第３の軸方向に延在する第１の直線部と、ｉｉ）前記第１の直線部に接続される第１の屈曲部分と、ｉｉｉ）前記第１の屈曲部分に接続され、前記第２の軸方向に延在する第２の直線部と、ｉｖ）前記第２の直線部に接続される第２の屈曲部分と、ｖ）前記第２の屈曲部分に接続され、前記第１の軸方向に延在し、端部に前記出射面を有する第３の直線部と、を含み、
前記第２の直線部の前記第２の軸方向における高さは、前記出射面の前記第２の軸方向における高さが一番高い導光部から前記出射面の前記第２の軸方向における高さが一番低い導光体に向かうに従って順番に小さくなるように設定されており、
前記第２の直線部の前記第１の軸の上における位置は、他の前記第２の直線部の前記第１の軸の上における位置と重ならないように設定されている、
導光体。
【請求項３】
複数の導光部を含み、
前記導光部の一方の端部に設けられた入射面は、３次元直交座標系の第１の軸方向に一列に配列され、
前記導光部の他方の端部に設けられた出射面は、前記第１の軸方向に直交する第２の軸方向に一列に配列され、
前記導光部は、ｉ）前記入射面から、前記第１の軸方向と前記第２の軸方向の両方に直交する第３の軸方向に延在する第１の直線部と、ｉｉ）前記第１の直線部に接続される第１の屈曲部分と、ｉｉｉ）前記第１の屈曲部分に接続され、前記第２の軸方向に延在する第２の直線部と、ｉｖ）前記第２の直線部に接続される第２の屈曲部分と、ｖ）前記第２の屈曲部分に接続され、前記第１の軸方向に延在し、端部に前記出射面を有する第３の直線部と、を含み、
前記第２の直線部の前記第２の軸方向における高さは、前記出射面の前記第２の軸方向における高さが一番高い導光部から前記出射面の前記第２の軸方向における高さが一番低い導光体に向かうに従って順番に小さくなるように設定されており、
複数の前記導光部では、前記第２の軸方向における前記入射面と前記出射面との距離が長いほど、前記第１の軸方向における前記入射面と前記出射面との距離が短くなる、
導光体。
【請求項４】
光源が配置された基板に当接するための当接部を有する基板当て部をさらに備え、
前記当接部は、前記導光部の前記入射面と同じ方向を向くとともに、前記第３の軸方向において前記入射面よりも突出している、
請求項１から３のいずれか１項に記載の導光体。
【請求項５】
前記第１の直線部は、前記第１の軸と前記第３の軸を含む第１の平面上に位置し、
前記第３の直線部は、前記第１の軸と前記第２の軸を含む第２の平面上に位置する、
請求項１から４のいずれか１項に記載の導光体。
【請求項６】
前記出射面から最も遠い位置に前記入射面を有する別の前記導光部をさらに備え、
前記別の導光部の前記出射面を有する前記第３の直線部は、前記入射面を有する前記第１の直線部に、１つの屈曲部分を介して接続され、
前記第３の直線部と、前記第１の直線部とは、同一平面上に配置される、
請求項１から５のいずれか１項に記載の導光体。
【請求項７】
複数の導光部を含み、
前記導光部の一方の端部に設けられた入射面は、３次元直交座標系の第１の軸方向に一列に配列され、
前記導光部の他方の端部に設けられた出射面は、前記第１の軸方向に直交する第２の軸方向に一列に配列され、
前記導光部は、ｉ）前記入射面から、前記第２の軸方向に延在する第１の直線部と、ｉｉ）前記第１の直線部に接続される第１の屈曲部分と、ｉｉｉ）前記第１の屈曲部分に接続され、前記第１の軸方向と前記第２の軸方向の両方に直交する第３の軸方向に延在する第２の直線部と、ｉｖ）前記第２の直線部に接続される第２の屈曲部分と、ｖ）前記第２の屈曲部分に接続され、前記第１の軸方向に延在し、端部に前記出射面を有する第３の直線部と、を含み、
前記第１の直線部の前記第２の軸方向における高さは、前記出射面の前記第２の軸方向における高さが一番高い導光部から、前記入射面の配列方向に沿って順番に小さくなるように設定されており、
前記第１の直線部の前記第１の軸の上における位置は、他の前記第１の直線部の前記第１の軸の上における位置と重ならないように設定されており、
複数の前記導光部では、前記第２の軸方向における前記入射面と前記出射面との距離が長いほど、前記第１の軸方向における前記入射面と前記出射面との距離が短くなる、
導光体。
【請求項８】
複数の導光部を含み、
前記導光部の一方の端部に設けられた入射面は、３次元直交座標系の第１の軸方向に一列に配列され、
前記導光部の他方の端部に設けられた出射面は、前記第１の軸方向に直交する第２の軸方向に一列に配列され、
前記導光部は、ｉ）前記入射面から、前記第２の軸方向に延在する第１の直線部と、ｉｉ）前記第１の直線部に接続される第１の屈曲部分と、ｉｉｉ）前記第１の屈曲部分に接続され、前記第１の軸方向と前記第２の軸方向の両方に直交する第３の軸方向に延在する第２の直線部と、ｉｖ）前記第２の直線部に接続される第２の屈曲部分と、ｖ）前記第２の屈曲部分に接続され、前記第１の軸方向に延在し、端部に前記出射面を有する第３の直線部と、を含み、
前記第１の直線部の前記第２の軸方向における高さは、前記出射面の前記第２の軸方向における高さが一番高い導光部から前記出射面の前記第２の軸方向における高さが一番低い導光体に向かうに従って順番に小さくなるように設定されており、
前記第１の直線部の前記第１の軸の上における位置は、他の前記第１の直線部の前記第１の軸の上における位置と重ならないように設定されている、
導光体。
【請求項９】
複数の導光部を含み、
前記導光部の一方の端部に設けられた入射面は、３次元直交座標系の第１の軸方向に一列に配列され、
前記導光部の他方の端部に設けられた出射面は、前記第１の軸方向に直交する第２の軸方向に一列に配列され、
前記導光部は、ｉ）前記入射面から、前記第２の軸方向に延在する第１の直線部と、ｉｉ）前記第１の直線部に接続される第１の屈曲部分と、ｉｉｉ）前記第１の屈曲部分に接続され、前記第１の軸方向と前記第２の軸方向の両方に直交する第３の軸方向に延在する第２の直線部と、ｉｖ）前記第２の直線部に接続される第２の屈曲部分と、ｖ）前記第２の屈曲部分に接続され、前記第１の軸方向に延在し、端部に前記出射面を有する第３の直線部と、を含み、
前記第１の直線部の前記第２の軸方向における高さは、前記出射面の前記第２の軸方向における高さが一番高い導光部から前記出射面の前記第２の軸方向における高さが一番低い導光体に向かうに従って順番に小さくなるように設定されており、
複数の前記導光部では、前記第２の軸方向における前記入射面と前記出射面との距離が長いほど、前記第１の軸方向における前記入射面と前記出射面との距離が短くなる、
導光体。
【請求項１０】
請求項１から９のいずれか１項に記載の導光体と、前記導光体の各入射面に光を入射する光源と、を備える、
インジケータ。
【請求項１１】
前記入射面と前記光源との間には隙間が設けられる、
請求項１０に記載のインジケータ。
【請求項１２】
請求項１０または１１に記載のインジケータを備えた機器であって、
前記機器の筐体は、前記インジケータの前記導光体から出射された光を外部に出射する構成を有する、
機器。
【発明の詳細な説明】
【技術分野】
【０００１】
本発明は、導光体、インジケータ、及び機器に関する。
【背景技術】
【０００２】
制御機器、通信機器等のインジケータは、ＬＥＤと、１以上の導光部を含む導光体と、を含む。導光体の入射面は、基板上に配置されたＬＥＤの発光面に対向するよう配置される。導光体の出射面は、筐体の開口から外部に露出され、インジケータの発光部となる。【０００３】
特許文献１には、入射面の列の向きと出射面の列の向きとが直交する４本の棒状の導光部を有する導光体が開示されている。
【先行技術文献】
【特許文献】
【０００４】
【特許文献１】特開２００４−１０９３３９号公報
【発明の概要】
【発明が解決しようとする課題】
【０００５】
特許文献１では、それぞれがほぼ同じ大きさの４本の導光部を、別部品である２つの連結部を使用して入射面近傍と出射面近傍で連結して、導光体を構成する。このため、導光部の本数が増えると、導光体全体が大型化する。【０００６】
本発明は、上記実情に鑑みてなされたものであり、出射面の配置が光源の配置に制限されず、かつ小型な導光体、この導光体を備えたインジケータ及び機器を提供することを目的とする。
【課題を解決するための手段】
【０００７】
上記目的を達成するため、本発明の一観点に係る導光体では、複数の導光部の一方の端部に設けられた入射面は、３次元直交座標系の第１の軸方向に一列に配列される。導光部の他方の端部に設けられた出射面は、第１の軸方向に直交する第２の軸方向に一列に配列される。導光部は、ｉ）入射面から、第１の軸方向と第２の軸方向の両方に直交する第３の軸方向に延在する第１の直線部と、ｉｉ）第１の直線部に接続される第１の屈曲部分と、ｉｉｉ）第１の屈曲部分に接続され、第２の軸方向に延在する第２の直線部と、ｉｖ）第２の直線部に接続される第２の屈曲部分と、ｖ）第２の屈曲部分に接続され、第１の軸方向に延在し、端部に出射面を有する第３の直線部と、を含む。第２の直線部の第２の軸方向における高さは、出射面の第２の軸方向における高さが一番高い導光部から、入射面の配列方向に沿って順番に小さくなるように設定されており、第２の直線部の第１の軸の上における位置は、他の第２の直線部の第１の軸の上における位置と重ならないように設定されており、複数の導光部では、第２の軸方向における入射面と出射面との距離が長いほど、第１の軸方向における入射面と出射面との距離が短くなる。
【０００８】
上記目的を達成するため、本発明の他の観点に係る導光体では、複数の導光部の一方の端部に設けられた入射面は、３次元直交座標系の第１の軸方向に一列に配列される。導光部の他方の端部に設けられた出射面は、第１の軸方向に直交する第２の軸方向に一列に配列される。導光部は、ｉ）入射面から、第２の軸方向に延在する第１の直線部と、ｉｉ）第１の直線部に接続される第１の屈曲部分と、ｉｉｉ）第１の屈曲部分に接続され、第１の軸方向と第２の軸方向の両方に直交する第３の軸方向に延在する第２の直線部と、ｉｖ）第２の直線部に接続される第２の屈曲部分と、ｖ）第２の屈曲部分に接続され、第１の軸方向に延在し、端部に出射面を有する第３の直線部と、を含む。第１の直線部の第２の軸方向における高さは、出射面の第２の軸方向における高さが一番高い導光部から、入射面の配列方向に沿って順番に小さくなるように設定されており、第１の直線部の第１の軸の上における位置は、他の第１の直線部の第１の軸の上における位置と重ならないように設定されており、複数の導光部では、第２の軸方向における入射面と出射面との距離が長いほど、第１の軸方向における入射面と出射面との距離が短くなる。
【発明の効果】
【０００９】
本発明の一観点に係る導光体においては、上記構成を含んだ導光体において、複数の導光部の第２の直線部の第２の軸方向における高さが、入射面の配列方向に沿って順番に小さくなるように設定されている。このような構成を有することで、出射面の配置が光源の配置に制限されず、かつ小型な導光体を提供することができる。【００１０】
本発明の他の観点に係る導光体においては、上記構成を含んだ導光体において、複数の導光部の第１の直線部の第２の軸方向における高さが、入射面の配列方向に沿って順番に小さくなるように設定されている。このような構成を有することで、出射面の配置が光源の配置に制限されず、かつ小型な導光体を提供することができる。
【図面の簡単な説明】
【００１１】
【図１】本発明の実施の形態に係る導光体の外観を示す斜視図
【図２Ａ】実施の形態に係る導光体の上面図
【図２Ｂ】実施の形態に係る導光体の正面図
【図２Ｃ】実施の形態に係る導光体の下面図
【図３Ａ】実施の形態に係る導光体の背面図
【図３Ｂ】実施の形態に係る導光体の右側面図
【図３Ｃ】実施の形態に係る導光体の左側面図
【図４】実施の形態に係る導光体の入射面を基板上のＬＥＤに対向させた配置した様子を示す図
【図５】実施の形態に係る導光体と、ＬＥＤが配置された回路基板とが機器の筐体内に配置された様子を示す図
【図６】機器の筐体の点灯部に設けられた開口と開口の側壁に形成された凹部を示す図
【図７】変形例１に係る導光体の外観を示す斜視図
【図８】変形例１に係る導光体の入射面を基板上のＬＥＤに対向させた配置した様子を示す図
【図９】変形例２に係る導光体の外観を示す斜視図
【図１０】変形例２に係る導光体の入射面を基板上のＬＥＤに対向させた配置した様子を示す図
【図１１】変形例３に係る導光体の外観を示す斜視図
【図１２】基板に配置した変形例３に係る導光体の左側面図
【発明を実施するための形態】
【００１２】
（実施の形態）
以下、本発明の実施の形態に係る導光体１００を説明する。
本実施形態の導光体１００は、図５に示すように、光源である４つのＬＥＤ（ＬＥＤ：Light Emitting Diode）１２と共に制御機器、通信機器等の機器のインジケータを構成する。ＬＥＤ１２は、筐体１の側壁に沿って配置された基板１１に配置される。導光体１００は、ＬＥＤ１２からの光を、筐体１の前面に導光して、点灯部１３〜１６から出力する。
【００１３】
以下、導光体１００の詳細を、図１の斜視図、図２Ａの上面図、図２Ｂの正面図、図２Ｃの下面図、図３Ａの背面図、図３Ｂの右側面図、図３Ｃの左側面図を参照して説明する。なお、以下の説明では、理解を容易にするため、ＸＹＺ直交座標系を設定し、適宜参照する。ここで、Ｚ軸方向は、導光体１００への光の入射方向、−Ｘ軸方向は導光体からの光の出射方向、Ｙ軸方向はＺ軸及びＸ軸に直交する方向とする。Ｘ軸方向は、本発明の第１の軸方向の一例である。Ｙ軸方向は、本発明の第２の軸方向の一例である。Ｚ軸方向は、本発明の第３の軸方向の一例である。
【００１４】
図１〜３Ｃに示すように、導光体１００は、角柱形状を有する導光部１１０、１２０、１３０、１４０と、基板に当接する基板当て部１５０と、４つの導光部を連結する連結部１６０と、組み立て時に使用される持ち手部１７０とを含む。導光体１００は、ポリカーボネイト、アクリル等の光透過性の樹脂を射出成形により製造される。
【００１５】
導光部１１０は、第１の直線部１１１、第２の直線部１１３、及び第３の直線部１１６と、直角方向に屈折する屈折部１１２、１１４及び１１５とを含む。さらに、導光部１１０は、係止部１１７を含む。屈折部１１２を含んだ屈曲部分は、本発明の第１の屈曲部分の一例である。屈折部１１４、１１５を含んだ屈曲部分は、本発明の第２の屈曲部分の一例である。
【００１６】
第１の直線部１１１は、その端部に入射面１１１ａを含む。第１の直線部１１１は、入射面１１１ａから＋Ｚ軸方向に延在し、屈折部１１２に接続されている。屈折部１１２は、＋Ｚ軸方向から＋Ｙ軸方向に屈曲して延在し、その屈曲部分に反射面１１２ａを有する。反射面１１２ａは、例えば、導光体１００を構成する樹脂と空気との屈折率の差により光を反射する構成でも、外表面に反射性膜が形成された構成でもよい。入射面１１１ａから第１の直線部１１１に入射した光は、第１の直線部１１１内を＋Ｚ軸方向に進行し、屈折部１１２に入射し、反射面１１２ａで反射して、＋Ｙ軸方向に進路を変える。即ち、屈折部１１２は、＋Ｚ軸方向に進む光を、＋Ｙ軸方向に屈折させる。
【００１７】
屈折部１１２は、＋Ｙ軸方向に延在する第２の直線部１１３に接続されている。第２の直線部１１３は、屈折部１１４に接続されている。屈折部１１４は、＋Ｙ軸方向から＋Ｚ軸方向に屈曲して延在し、その屈曲部分に反射面１１４ａを有する。第２の直線部１１３を＋Ｙ軸方向に進行した光は、屈折部１１４に入射し、反射面１１４ａで反射して、＋Ｚ軸方向に進路を変える。即ち、屈折部１１４は、＋Ｙ軸方向に進む光を、＋Ｚ軸方向に屈折させる。
【００１８】
図１〜３Ｃに示すように、屈折部１１４は、屈折部１１５に接続されている。屈折部１１５は、＋Ｚ軸方向から−Ｘ軸方向に屈曲して延在し、その屈曲部分に反射面１１５ａを有する。屈折部１１４から＋Ｚ軸方向に進行した光は、屈折部１１５に入射し、反射面１１５ａで反射して、−Ｘ軸方向に進路を変える。即ち、屈折部１１５は、＋Ｚ軸方向に進む光を、−Ｘ軸方向に屈折させる。
【００１９】
屈折部１１５は、第３の直線部１１６に接続されている。第３の直線部１１６は、−Ｘ軸方向に延在し、その端部に出射面１１６ａを含む。図６に示すように、第３の直線部１１６の先端部は、筐体１の点灯部に設けられた開口１１６ｂに挿入される。これにより、出射面１１６ａが筐体１の外部に露出し、図５に示す点灯部１３〜１６として機能する。
【００２０】
図２Ａ〜３Ｃに示すように、係止部１１７は、第３の直線部１１６の側面から突出した突部である。図６に示すように、筐体１の開口１１６ｂの側壁には、係止部１１７に合致する形状の凹部１１７ａが形成されている。第３の直線部１１６の先端部が開口１１６ｂに挿入されると、係止部１１７は、凹部１１７ａに嵌まる。これにより、第３の直線部１１６の位置ずれが防止される。
【００２１】
図１〜３Ｃに示すように、導光部１２０は、第１の直線部１２１、第２の直線部１２３、及び第３の直線部１２６と、直角方向に屈折する屈折部１２２、１２４及び１２５とを含む。屈折部１２２を含んだ屈曲部分は、本発明の第１の屈曲部分の一例である。屈折部１２４、１２５を含んだ屈曲部分は、本発明の第２の屈曲部分の一例である。図１〜３Ｃに示すように、導光部１２０は、第２の直線部、第３の直線部の長さが導光部１１０のものと異なるものの、導光部１１０と同様の構成を備える。
また、Ｙ軸方向に重ねられた導光部１１０と１２０とは、出射面１１６ａと１２６ａの近傍で、連結部１２７によって接続されている。
【００２２】
導光部１３０は、第１の直線部１３１、第２の直線部１３３及び第３の直線部１３６と、直角方向に屈折する屈折部１３２、１３４及び１３５と、係止部１３７とを含む。屈折部１３２を含んだ屈曲部分は、本発明の第１の屈曲部分の一例である。屈折部１３４、１３５を含んだ屈曲部分は、本発明の第２の屈曲部分の一例である。
【００２３】
係止部１３７は、導光部１１０の係止部１１７と同様に、第３の直線部１３６の先端部が筐体の点灯部の開口にはめ込まれると、開口に形成された凹部に嵌まり、第３の直線部１３６の位置ずれを防止する。
また、Ｙ軸方向に重ねられた導光部１２０と１３０とは、出射面１２６ａと１３６ａの近傍で、連結部１３８により接続されている。
【００２４】
別の導光部としての導光部１４０は、第１の直線部１４１及び第３の直線部１４３と、直角方向に屈折する屈折部１４２を含む１つの屈曲部分と、係止部１４４とを含む。導光部１４０は、第２の直線部を有さず、屈曲部分を１つのみ有する。
【００２５】
第１の直線部１４１は、その端部に入射面１４１ａを有する。第１の直線部１４１は、反射面１４２ａを有する屈折部１４２に接続されている。反射面１４２ａに＋Ｚ軸方向に入射した光は、反射して、−Ｘ軸方向に進路を変える。即ち、屈折部１４２は、＋Ｚ軸方向に進む光を、−Ｘ軸方向に屈折させる。屈折部１４２は、第３の直線部１４３に接続されている。第３の直線部１４３は、その端部に出射面１４３ａを含む。
【００２６】
係止部１４４は、第３の直線部１４３の側面から突出した突部であり、機器の筐体１の開口に設けられている凹部に係止する。
また、Ｙ軸方向に重ねられた導光部１３０と１４０とは、出射面１３６ａと１４３ａの近傍で、連結部１４５により接続されている。
【００２７】
基板当て部１５０は、その先端に基板に当接する当接部１５０ａを有している。図１に示すように、当接部１５０ａは、入射面１１１ａ〜１４１ａと同じ方向を向く。当接部１５０ａは、Ｚ軸上において入射面１１１ａ〜１４１ａの位置より突出することで、−Ｚ側に位置するよう構成されている。図４に示すように、当接部１５０ａが基板１１に当接することにより、導光体１００の入射面１１１ａと、基板１１に取り付けられたＬＥＤ１２との間に距離を置くことができる。よって、入射面１１１ａとＬＥＤ１２とが接触することを回避できる。入射面１２１ａ〜１４１ａについても同様である。
【００２８】
連結部１６０は、図３Ａに示すように、角形のＵ字形状を有し、導光部１１０〜１４０を連結する部材である。連結部１６０は、第３の直線部１１６、１２６、１３６、１４３の＋Ｚ側の側面に取り付けられている。図１に示すように、持ち手部１７０は、導光部１４０の第１の直線部１４１の側面に一体的に形成されている。持ち手部１７０は、組み立て時に作業者が導光体１００を持ち上げるときに、つまむ部分である。
【００２９】
４つの導光部１１０、１２０、１３０、１４０の入射面１１１ａ、１２１ａ、１３１ａ、１４１ａは、Ｘ軸方向に一列に並べられて配置されている。より具体的には、図１に示すように、入射面１１１ａ、１２１ａ、１３１ａ、１４１ａは、Ｘ軸（第１の軸）とＺ軸（第３の軸）とを含むＸＺ面（第１の平面）に沿って配置され、すべて同じ−Ｚ軸方向を向き、面一に配置されている。
【００３０】
導光部１１０、１２０、１３０、１４０の出射面１１６ａ、１２６ａ、１３６ａ、１４３ａは、Ｙ軸方向に一列に並べられている。より具体的には、出射面１１６ａ、１２６ａ、１３６ａ、１４３ａは、Ｘ軸とＹ軸（第２の軸）とを含むＸＹ面（第２の平面）に沿って配置され、すべて同じ−Ｘ軸方向を向き、面一に配置されている。
【００３１】
上記の構成を有する導光体１００では、ＬＥＤ１２から放射された光が、入射面から＋Ｚ軸方向に入射し、出射面から−Ｘ軸方向に出射する。具体的には、光は導光体１００を次のように進む。以下、導光部１１０について説明するが、導光部１２０、１３０も同様である。導光体１００の入射面１１１ａ、１２１ａ、１３１ａ、１４１ａは、それぞれ、対応するＬＥＤ１２に対向して配置されている。
【００３２】
ＬＥＤ１２からの光は入射面１１１ａから第１の直線部１１１に入射する。入射した光は、第１の直線部１１１を＋Ｚ軸方向に進み、屈折部１１２の反射面１１２ａで反射して、第２の直線部１１３内を＋Ｙ軸方向に進む。次に、光は、屈折部１１４の反射面１１４ａで反射し、＋Ｚ軸方向に進路を変える。その後、光は屈折部１１５の反射面１１５ａで反射して、第３の直線部１１６内を−Ｘ軸方向に進み、出射面１１６ａから出射する。
【００３３】
導光部１４０については、入射面１４１ａから入射した光は、第１の直線部１４１内を＋Ｚ軸方向に進み、屈折部１４２の反射面１４２ａで反射して、−Ｘ軸方向に進路を変える。その後、光は第３の直線部１４３内を−Ｘ軸方向に進み、出射面１４３ａから出射する。
【００３４】
このように、導光部１１０、１２０、１３０では、光は入射後３回屈折した後、出射する。これに対し、入射面と出射面とが最も離れている導光部１４０では光は１回だけ屈折する。これは、入射面１４１ａを有する第１の直線部１４１と、出射面１４３ａを有する第３の直線部１４３とが、Ｙ軸上の位置が同一の平面（ＸＺ平面）上で延在しているからである。導光部１１０〜１４０の中では、導光部１４０の入射面から出射面までの距離が一番長いが、光の屈折が１回のみなので、進行距離が長いことに起因する光の減衰を低減することができる。
【００３５】
さらに、一番端の導光部１４０以外の導光部１１０、１２０、１３０は、以下のような構造を有する。
【００３６】
図１に示すように、導光部１１０、１２０、１３０の入射面を有する第１の直線部１１１、１２１、１３１は、ＸＺ平面（第１の平面）上で、Ｚ軸方向に延伸している。出射面を有する第３の直線部１１６、１２６，１３６は、ＸＹ平面（第２の平面）上で、Ｘ軸方向に延伸している。第１の平面であるＸＺ平面と第２の平面であるＸＹ平面とは直交している。
【００３７】
ここで、第２の直線部１１３、１２３、１３３は、入射面を有する第１の直線部１１１、１２１、１３１と、出射面を有する第３の直線部１１６、１２６、１３６とをつなぐ部材である。第２の直線部１１３、１２３、１３３は、ＸＹ平面（第２の平面）に平行となるよう配置されている。
【００３８】
屈折を複数回繰り返す導光体１００において、第２の直線部１１３、１２３、１３３は出射面を有する第３の直線部１１６、１２６、１３６が延伸するＸＹ平面（第２の平面）に平行であり、導光部１１０、１２０、１３０は同様に屈曲している。このように、導光体１００はアーチ形状に構成されている。
【００３９】
また、入射面のＸ軸上の位置は、入射面と出射面とのＹ軸上の距離に応じて、次のように設定される。４つの導光部のうち、Ｙ軸上における入射面と出射面との距離が一番長いのは導光部１１０である。即ち、４つの導光部のうちで、導光部１１０の入射面１１１ａと出射面１１６ａとがＹ軸上で最も離れている。このため、Ｘ軸上における導光部１１０の入射面１１１ａと出射面１１６ａとの距離を最も短く設定する。Ｙ軸上における入射面と出射面との距離が２番目に長いのは導光部１２０である。このため、Ｘ軸上における導光部１２０の入射面１２１ａと出射面１２６ａとの距離を２番目に短く設定する。導光部１３０についても同様である。
【００４０】
言い換えれば、入射面の配列方向のうち、入射面の位置がＸ軸上で＋Ｘ方向に向かうほど、出射面の高さ（Ｙ軸上の位置）を順番に小さく（−Ｙ方向に向かうように）する。つまり、第２の直線部１１３、１２３、１３３のＹ軸方向（第２の軸方向）における高さは、入射面１１１ａ、１２１ａ、１３１ａの配列方向に沿って順番に小さくなっている。
【００４１】
上述のように、導光体１００がアーチ形状を有し、さらに、入射面のＸ軸上の位置が＋Ｘ方向に向かうに従って、出射面のＹ軸上の位置が−Ｙ方向に向かうよう変化させ、第２の直線部１１３、１２３、１３３のＹ軸方向（第２の軸方向）における高さが順番に小さくなるように設定することで、導光体１００は広がった形状とならない。結果として、コンパクトに構成することができる。従って、機器内において、大きな収容スペースを必要としない。
【００４２】
また、図４に示すように、導光体１００の入射面を、基板１１上のＬＥＤ１２に対向させて配置したとき、当接部１５０ａが当接する部分を除き、導光体１００は基板１１に接していない。さらに、第２の直線部１１３〜１３３と基板１１との間に空間が設けられる。よって、第２の直線部１１３〜１３３と基板１１との間に素子を配置することができる。このように、導光体１００は、基板１１上の素子に干渉しない。また、導光体１００の各入射面１１１ａ、１２１ａ、１３１ａ、１４１ａとＬＥＤ１２との間には隙間が設けられるため、ＬＥＤ１２が導光体１００に干渉しない。
【００４３】
以上説明したように、複数の導光部を含む導光体１００では、コンパクトに構成された１部品で、入射面と出射面を直交するよう構成することができる。このため、ＬＥＤ１２を設ける基板１１の主面の向きと導光体の出射面の向きとを揃える必要がない。このように、出射面の配置が光源の配置に制限されない。また、導光体１００をコンパクト（小型）に構成することで、基板１１上の他の部品の配置が制限されない。さらに、導光体１００を一体成形により作製するため、部品点数を増やすことがなく、インジケータの組み立てを簡易なものとすることができる。
【００４４】
上述の実施の形態では、４つの導光部１１０〜１４０を有する導光体１００を説明したが、導光部の数はＬＥＤの数に応じて増減可能である。
【００４５】
（変形例１）
図７、８を参照しながら、５つ以上の導光部を有する導光体２００を説明する。なお、以下、実施の形態と異なる部分を中心に説明する。
【００４６】
図７に示すように、導光体２００は、８つのＬＥＤ（不図示）と組み合わせられて機器のインジケータを構成する。導光体２００は、８本の導光部２１０、２２０、…、２８０と、基板当て部２９０とを含む。導光体２００は一体的に成形されている。
【００４７】
導光部２１０から２７０においては、導光体１００の導光部１１０、１２０、１３０における光の進路と同様に、第１の直線部２１１〜２７１にそれぞれ入射した光は、入射後３回屈折し、出射する。一方、入射面が一番端（＋Ｘ側）に設けられた別の導光部としての導光部２８０においては、第１の直線部２８１に入射した光は入射後１回屈折し、出射する。導光部２８０では、入射面から出射面までの距離が一番長いが、光の屈折が１回のみなので、進行距離が長いことに起因する光の減衰を低減することができる。
【００４８】
また、実施の形態と同様に、導光部２８０（別の導光部）以外の導光部２１０、２２０、…、２７０は、以下のような特徴的な構造を有する。
【００４９】
導光部２１０、２２０、…、２６０、２７０の入射面を有する第１の直線部２１１、２２１、…２６１、２７１は、ＸＺ平面（第１の平面）上で、Ｚ軸方向に延伸している。出射面を有する第３の直線部２１６、２２６、…、２６６、２７６は、ＸＹ平面（第２の平面）上で、Ｘ軸方向に延伸している。第１の平面であるＸＺ平面と第２の平面であるＸＹ平面とは直交している。
【００５０】
ここで、第２の直線部２１３、２２３、…、２６３、２７３は、入射面を有する第１の直線部２１１、２２１、…、２６１、２７１と、出射面を有する第３の直線部２１６、２２６、…、２６６、２７６とをつなぐ部材である。第２の直線部２１３、２２３、…、２６３、２７３はＸＹ平面（第２の平面）に平行となるよう配置されている。
【００５１】
屈折を複数回繰り返す導光体２００において、第２の直線部２１３、２２３、…、２６３、２７３は出射面を有する第３の直線部２１６、２２６、…、２６６、２７６が延伸するＸＹ平面（第２の平面）に平行であり、第２の直線部２１３、２２３、…、２６３、２７３は同様に屈折している。このように、導光体２００はアーチ形状に構成されている。
【００５２】
また、入射面のＸ軸上の位置は、実施の形態と同様に、入射面と出射面とのＹ軸上の距離に応じて、次のように設定される。導光部２１０では、Ｙ軸方向における入射面と出射面との距離が一番長いため、Ｘ軸上における入射面と出射面との距離が最も短く設定される。導光部２２０では、Ｙ軸方向における入射面と出射面との距離が２番目に長いため、Ｘ軸上における入射面と出射面との距離が２番目に設定される。導光部２３０、２４０、…、２７０についても同様である。
【００５３】
言い換えれば、入射面の配列方向のうち、入射面の位置がＸ軸上で＋Ｘ方向に向かうほど、出射面の高さ（Ｙ軸上の位置）を順番に小さく（−Ｙ方向に向かうように）する。つまり、第２の直線部２１３、２２３、…、２６３、２７３のＹ軸方向（第２の軸方向）における高さは、入射面２１１ａ、２２１ａ、…、２６１ａ、２７１ａの配列方向に沿って順番に小さくなっている。
【００５４】
上述のように、導光体２００がアーチ形状を有し、さらに、入射面のＸ軸上の位置が＋Ｘ方向に向かうに従って、出射面のＹ軸上の位置が−Ｙ方向に向かうよう変化させ、第２の直線部２１３、２２３、…、２５３、２６３のＹ軸方向（第２の軸方向）における高さが順番に小さくなるように設定することで、導光体２００は広がった形状とならない。結果として、その大きさをコンパクトに構成することができる。従って、機器内において、大きな収容スペースを必要としない。
【００５５】
また、図８に示すように、導光体２００の入射面を、基板１１上のＬＥＤ１２に対向させて配置させたとき、当接部２９０ａが当接する部分を除き、導光体２００は基板１１に接していない。さらに、第２の直線部２１３、２２３、…、２６３、２７３と基板１１との間に空間が設けられる。よって、導光体２００は基板１１上の素子に干渉しない。また、導光体２００の各入射面２１１ａ、２２１ａ、…、２８１ａとＬＥＤ１２との間には隙間が設けられるため、ＬＥＤ１２が導光体２００に干渉しない。
【００５６】
以上説明したように、変形例１に係る導光体２００では、コンパクトに構成された１部品で、入射面と出射面を直交するよう構成することができる。このように、出射面の配置が光源の配置に制限されない。さらに、部品点数を増やすことがなく、インジケータの組み立てを簡易なものとすることができる。
【００５７】
（変形例２）
以下、本発明の他の変形例に係る導光体を説明する。変形例２に係る導光体３００は、８本の導光部３１０、３２０、…、３８０と、基板当て部３９０とを含む。導光体３００は、一体的に成形されている。
【００５８】
図９に示すように、変形例２では、実施形態、変形例１とは異なり、出射面のＹ軸上の位置が＋Ｙに向かうほど、入射面のＸ軸上の位置が＋Ｘに向かう。
【００５９】
このため、入射面が一番端（−Ｘ側）に配置された別の導光部としての導光部３８０では、Ｙ軸上における出射面と入射面との距離が最も短く、光の屈折が１回のみである。その他の導光部３１０、３２０、…、３６０、３７０では、光の屈折が３回となる。
【００６０】
また、実施の形態、変形例１と同様に、導光部３８０（別の導光部）以外の導光部３１０、３２０、…、３６０、３７０は、以下のような構造を有する。
【００６１】
図９に示すように、導光部３１０、３２０、…、３６０、３７０の入射面を有する第１の直線部３１１、３２１、…、３６１、３７１は、ＸＺ平面（第１の平面）上で、Ｚ軸方向に延伸している。出射面を有する第３の直線部３１６、３２６、…３６６、３７６は、ＸＹ平面（第２の平面）上で、Ｘ軸方向に延伸している。第１の平面であるＸＺ平面と第２の平面であるＸＹ平面とは直交している。
【００６２】
ここで、第２の直線部３１３、３２３、…、３６３、３７３は、入射面を有する第１の直線部３１１、３２１、…、３６１、３７１と、出射面を有する第３の直線部３１６、３２６、…、３６６、３７６とをつなぐ部材である。第２の直線部３１３、３２３、…、３６３、３７３はＸＹ平面（第２の平面）に平行となるよう構成されている。
【００６３】
屈折を複数回繰り返す導光体３００において、第２の直線部３１３、３２３、…、３６３、３７３は出射面を有する第３の直線部３１６、３２６、…、３７６が延伸するＸＹ平面（第２の平面）に平行であり、導光部３１０〜３７０は同様に屈曲している。このように、導光体３００はアーチ形状に構成されているといえる。
【００６４】
また、図１０に示すように、導光体３００の入射面を、基板１１上のＬＥＤ１２に対向させて配置したとき、当接部３９０ａが当接する部分を除き、導光体３００は基板１１に接していない。さらに、第２の直線部３１３、３２３、…、３６３、３７３と基板１１との間に空間が設けられる。よって、導光体３００は基板１１上の素子に干渉しない。また、導光体３００の各入射面３１１ａ、３２１ａ、…、３８１ａとＬＥＤ１２との間には隙間が設けられるため、ＬＥＤ１２が導光体３００に干渉しない。
【００６５】
変形例２に係る導光体３００では、導光部３１０が、Ｙ軸上においてＬＥＤ１２から最も離れた出射面３１６ａを有する。くわえて、導光部３１０〜３８０の中では、導光部３１０の入射面から出射面までの距離が一番長く、光の屈折が３回ある。このため、進行距離が長いことに起因する光の減衰を低減できない。しかしながら、導光体３００を使用した場合でも、１部品で、入射面と出射面を直交するよう構成することができる。このように、出射面の配置が光源の配置に制限されない。さらに、部品点数を増やすことがなく、インジケータの組み立てを簡易なものとすることができる。
【００６６】
上述の実施の形態、変形例１、２では、光源から放射された光が、＋Ｚ軸方向に入射し、−Ｘ軸方向に出射する例を説明したが、これに限られず、変形例３で説明するように、光の導光方向は適宜変更可能である。
【００６７】
（変形例３）
変形例３に係る導光体４００は、８本の導光部４１０、４２０、…、４８０と、基板当て部４９０とを含む。導光体４００は一体的に成形されている。
【００６８】
図１１に示すように、導光体４００では、入射面４１１ａは−Ｙ軸方向を向き、出射面４１５ａは−Ｘ軸方向を向くよう構成されている。光源から放射された光は、導光体４００に＋Ｙ軸方向に入射し、−Ｘ軸方向に出射する。
【００６９】
導光部４１０は、第１の直線部４１１と、第２の直線部４１３と、第３の直線部４１５と、第１の屈曲部分としての屈折部４１２及び第２の屈曲部分としての屈折部４１４とを含む。
【００７０】
第１の直線部４１１は、その端部に入射面４１１ａを含む。第１の直線部４１１は、＋Ｙ軸方向に伸び、屈折部４１２に接続されている。屈折部４１２は、＋Ｙ軸方向から＋Ｚ軸方向に屈折し、反射面４１２ａを有する。屈折部４１２は、第２の直線部４１３に接続されている。第２の直線部４１３は、＋Ｚ軸方向に伸び、屈折部４１４に接続されている。屈折部４１４は、＋Ｚ軸方向から−Ｘ軸方向に屈折し、反射面４１４ａを有する。屈折部４１４は、第３の直線部４１５に接続されている。第３の直線部４１５は、−Ｘ軸方向に伸び、その端部に出射面４１５ａを有する。
導光部４２０、４３０、…、４８０も同様の構成を備える。
【００７１】
導光体４００を光が進む経路を、導光部４１０を例に説明するが、導光部４２０、４３０、…、４８０も同様である。あらかじめ、入射面４１１ａ、４２１ａ、…、４７１ａ、４８１ａが、対応するＬＥＤに対向するよう配置されている。
【００７２】
入射面４１１ａから入射した光は、第１の直線部４１１内を＋Ｙ軸方向に進み、屈折部４１２の反射面４１２ａで反射して、＋Ｚ軸方向に進路を変える。その後、光は第２の直線部４１３を＋Ｚ軸方向に進み、屈折部４１４の反射面４１４ａで反射して、−Ｘ軸方向に進路を変え、第３の直線部４１５を−Ｘ軸方向に進み、出射面４１５ａから出射する。
【００７３】
また、別の導光体としての一番端の導光部４８０以外の導光部４１０、４２０、…、４７０は、以下のような構造を有する。
【００７４】
図１１に示すように、導光部４１０、４２０、…、４６０、４７０の入射面を有する第１の直線部４１１、４２１、…、４６１、４７１は、ＸＹ平面上で、Ｙ軸方向に延伸している。出射面を有する第３の直線部４１５、４２５、…、４６５、４７５は、同じくＸＹ平面上で、Ｘ軸方向に延伸している。
【００７５】
屈折を複数回繰り返す導光体４００において、第１の直線部４１１、４２１、…、４７１、４８１は出射面を有する第３の直線部４１５、４２５、…、４７５、４８５が延伸するＸＹ平面（第２の平面）に平行であり、導光部４１０、４２０、…、４７０、４８０は同様に屈曲している。このように、導光体４００はアーチ形状に構成されている。
【００７６】
また、入射面のＸ軸上の位置は、実施の形態と同様に、入射面と出射面とのＹ軸上の距離に応じて、次のように設定される。導光部４１０では、Ｙ軸方向における入射面４１１ａと出射面４１５ａとの距離が一番長いため、Ｘ軸上における入射面４１１ａと出射面４１５ａとの距離が最も短く設定される。導光部４２０では、Ｙ軸方向における入射面４２１ａと出射面４２５ａとの距離が２番目に長いため、Ｘ軸上における入射面４２１ａと出射面４２５ａとの距離が２番目に設定される。導光部４３０、…、４８０についても同様である。
【００７７】
言い換えれば、入射面の位置がＸ軸上で＋Ｘ方向に向かうほど、出射面の高さ（Ｙ軸上の位置）を順番に小さく（−Ｙ方向に向かうように）する。つまり、第１の直線部４１１、４２１、…、４７１、４８１のＹ軸方向（第２の軸方向）における高さは、入射面４１１ａ，４２１ａ、…、４７１ａ、４８１ａの配列方向に沿って順番に小さくなっている。
【００７８】
上述のように、導光体４００がアーチ形状を有し、さらに、入射面のＸ軸上の位置が＋Ｘ方向に向かうに従って、出射面のＹ軸上の位置が−Ｙ方向に向かうよう変化させ、第１の直線部４１１、４２１、…、４７１、４８１のＹ軸方向（第２の軸方向）における高さが順番に小さくなるように設定することで、導光体４００は広がった形状とならない。結果として、その大きさをコンパクトに構成することができる。従って、機器内において、大きな収容スペースを必要としない。
【００７９】
また、図１２に示すように、導光体４００を基板１１上に配置したとき、第２の直線部４８３、第３の直線部４８５の下側（−Ｙ側）に空間が設けられる。よって、導光体４００は、基板１１上の素子に干渉しない。また、導光体４００の各入射面４１１ａ、４２１ａ、…、４７１ａ、４８１ａとＬＥＤ１２との間には隙間が設けられるため、ＬＥＤ１２が導光体４００に干渉しない。
【００８０】
実施の形態、変形例１、２では、入射面を有する第１の直線部が延伸されたＸＺ平面（第１の平面）と、出射面を有する第３の直線部が延伸されたＸＹ平面（第２の平面）とが直交する。また、出射面を有する第３の直線部と入射面を有する第１の直線部とをつなぐ第２の直線部が、ＸＹ平面（第２の平面）と平行になる。
【００８１】
これに対し、変形例３では、入射面を有する第１の直線部、出射面を有する第３の直線部のいずれも、同じくＸＹ平面上で延伸している。このような違いはあるものの、変形例３でも、実施の形態、変形例１、２と同様の効果を得ることができる。
【００８２】
また、実施の形態、変形例１、２では、一方の端に配置された導光部１４０、２８０、３８０以外の導光部は３回屈折していた。
しかし、変形例３の導光体４００のように、３次元直交座標系の３軸方向のうちの少なくとも２軸方向に２回屈折すれば、実施の形態、変形例１、２と同様の効果を得ることができる。
【００８３】
実施の形態、変形例１、２では、一方の端に配置された導光部１４０、２８０、３８０は、それ以外の導光部より屈折回数が少なくなるよう構成されていた。
【００８４】
これに対し、変形例３では、すべての導光部４１０、４２０、…、４８０が同じ回数（２回）屈折する。よって、図１１、１２に示すように、Ｙ軸上の位置が一番下側（−Ｙ側）の第２の直線部４８３、第３の直線部４８５の底面のＹ軸上の位置を、入射面４１１ａのＹ軸上の位置より上（＋Ｙ側）にすることができる。従って、第３の直線部４８５が、基板１１上の素子に干渉することを防止できる。
【００８５】
変形例３に係る導光体３００では、コンパクトに構成された１部品で、入射面と出射面を直交するよう構成することができる。このように、出射面の配置が光源の配置に制限されない。さらに、部品点数を増やすことがなく、インジケータの組み立てを簡易なものとすることができる。
【００８６】
以上、実施の形態、変形例１〜３を説明したが、本発明に係る導光体は、上述の構成に限られない。
【００８７】
実施の形態では、例えば、図１に示すように、入射面を有する第１の直線部１１１、１２１、１３１、１４１が互いに平行である例を説明したが、第１の直線部は平行でなくてもよい。
【００８８】
出射面を有する第３の直線部と入射面を有する第１の直線部とをつなぐ第２の直線部は互いに平行でなくてもよい。また、出射面を有する第３の直線部は、互いに平行でなくてもよい。
【００８９】
上述の例では、図１、７、９、１１に示すように、すべての導光部の入射面が面一に配置される例を説明したが、入射面は面一に配置しなくてもよい。基板１１上のＬＥＤ１２の高さは必ずしも同一と限らないからである。例えば、図１に示す第１の直線部１１１、１２１、１３１、１４１のうち１または複数の直線部を他より長く、または、短く構成してもよい。この場合、入射面は面一とならない。
【００９０】
また、すべての導光部の出射面を面一に配しなくてもよい。表示部に合わせて、出射面を有する直線部のうち、１または複数の直線部の長さを他より長く、または、短く構成してもよい。また、筐体の前面の形状に合わせ、出射面が設けられている直線部に対する、出射面の角度は、直角としなくてもよい。
【００９１】
また、導光部の出射面は、筐体の開口から外部に露出されなくてもよい。例えば、開口に化粧用のプレート、シートなど配置してもよい。また、出射面を着色してもよい。
【００９２】
上述の例では、入射面の列と出射面の列とが直交する、または平行である例を説明したが、入射面の列と、出射面の列との角度は、これに限られず、他の角度であってもよい。
【００９３】
上述の例では、入射面の列を基準にして、導光部が＋Ｙ方向にのみアーチ形状に持ち上がった構成を示したが、複数の導光部のうちの一部が＋Ｙ方向にアーチ形状に持ち上がり、他の一部が−Ｙ方向にアーチ形状に持ち上がる構成であってもよい。この場合、＋Ｙ方向にアーチ形状を有する導光部と、−Ｙ方向にアーチ形状に持ち上がる導光部との境界部分の少なくとも１つの導光部は、いずれの方向に持ち上がった構成を有しなくてもよい。
【００９４】
また、変形例１〜３に係る導光体２００、３００、４００においても、導光体１００と同様に、筐体に設けられている凹部に係止する係止部を設けてもよい。導光体１００は３つの係止部１１７，１３７，１４４を有していたが、導光体２００、３００、４００はそれぞれ８本の導光部を備えるため、４つ以上の係止部を備えることが望ましい。
【００９５】
また、導光体２００、３００、４００においても、図２Ｃの導光体１００のように、複数の導光部を連結する連結部を設けてもよい。また、導光体２００、３００、４００においても、図１に示す導光体１００の持ち手部１７０を設けてもよい。
【００９６】
上述の例では、導光体の導光部が四角柱の形状を有する例を説明したが、導光部は、断面が六角形、八角形等の柱形状を有するものであってもよい。
また、導光体はポリカーボネイトではなく、光透過性を有する他の樹脂で成形してもよい。また、光透過性を有すれば、無色でない樹脂を導光体の材料として使用してもよい。
上述の例では、光源としてＬＥＤを使用する例を説明したが、光源は、ＬＥＤに限られず、例えば、半導体レーザ（ＬＤ：Laser Diode）であってもよい。
【００９７】
本発明は、広義の精神と範囲を逸脱することなく、様々な実施形態及び変形が可能とされるものである。また、上述した実施形態は、本発明を説明するためのものであり、本発明の範囲を限定するものではない。つまり、本発明の範囲は、実施形態ではなく、請求の範囲によって示される。そして、請求の範囲内及びそれと同等の発明の意義の範囲内で施される様々な変形が、本発明の範囲内とみなされる。
【符号の説明】
【００９８】
１  筐体、１１  基板、１２  ＬＥＤ、１３〜１６  点灯部、１００  導光体、１１０，１２０，１３０，１４０  導光部、１１１，１２１，１３１，１４１  第１の直線部、１１１ａ，１２１ａ，１３１ａ，１４１ａ  入射面、１１２，１１４，１１５，１２２，１２４，１２５，１３２，１３４，１３５，１４２  屈折部、１１２ａ，１１４ａ，１１５ａ，１２２ａ，１２４ａ，１２５ａ，１３２ａ，１３４ａ，１３５ａ，１４２ａ  反射面、１１３，１２３，１３３  第２の直線部、１１６，１２６，１３６，１４３  第３の直線部、１１６ａ，１２６ａ，１３６ａ，１４３ａ  出射面、１１６ｂ  開口、１１７，１３７，１４４  係止部、１１７ａ  凹部、１２７，１３８，１４５，１６０  連結部、１５０  基板当て部、１５０ａ  当接部、１７０  持ち手部、２００  導光体、２１０，２２０，２３０，２４０，２５０，２６０，２７０，２８０  導光部、２１１，２２１，２３１，２４１，２５１，２６１，２７１，２８１  第１の直線部、２１１ａ，２２１ａ，２３１ａ，２４１ａ，２５１ａ，２６１ａ，２７１ａ，２８１ａ  入射面、２１２ａ，２１４ａ，２１５ａ，２２２ａ，２２４ａ，２２５ａ，２３４ａ，２３５ａ，２４４ａ，２４５ａ，２５４ａ，２５５ａ，２５４ａ，２６２ａ，２６４ａ，２６５ａ，２７２ａ，２７４ａ，２７５ａ，２８２ａ  反射面、２１３，２２３，２３３，２４３，２５３，２６３，２７３  第２の直線部、２１６，２２６，２６６、２７６，２８３  第３の直線部、２１６ａ，２２６ａ，２３６ａ，２４６ａ，２５６ａ，２６６ａ，２７６ａ，２８３ａ  出射面、２９０  基板当て部、２９０ａ  当接部、３００  導光体、３１０，３２０，３３０，３４０，３５０，３６０，３７０，３８０  導光部、３１１，３２１，３３１，３４１，３５１，３６１，３７１，３８１  第１の直線部、３１１ａ，３２１ａ，３３１ａ，３４１ａ，３５１ａ，３６１ａ，３７１ａ，３８１ａ  入射面、３１２ａ，３１４ａ，３１５ａ，３２２ａ，３２４ａ，３２５ａ，３３２ａ，３３４ａ，３３５ａ，３４２ａ，３４４ａ３４５ａ，３５２ａ，３５４ａ，３５５ａ，３６２ａ，３６４ａ，３６５ａ，３７２ａ，３７４ａ，３７５ａ，３８２ａ  反射面、３１３，３２３，３３３，３６３，３７３  第２の直線部、３１４，３２４，３３４，３４４，３５４，３６４，３７４  屈折部、３１６，３２６，３７６，３８３  第３の直線部、３１６ａ，３２６ａ，３３６ａ，３４６ａ，３５６ａ，３６６ａ，３７６ａ，３８３ａ  出射面、３９０  基板当て部、３９０ａ  当接部、４００  導光体、４１０，４２０，４３０，４４０，４５０，４６０，４７０，４８０  導光部、４１１，４２１，４３１，４４１，４５１，４６１，４７１，４８１  第１の直線部、４１１ａ，４２１ａ，４３１ａ，４４１ａ，４５１ａ，４６１ａ，４７１ａ，４８１ａ  入射面、４１２，４１４，４１３，４２３，４３３，４４３，４５３，４６３，４７３，４８３  第２の直線部、４１５，４７５，４８５  第３の直線部、４１５ａ，４２５ａ，４３５ａ，４４５ａ，４５５ａ，４６５ａ，４７５ａ，４８５ａ  出射面、４９０  基板当て部、４９０ａ  当接部
【要約】
導光部（１１０、１２０、１３０、１４０）は、ｉ）Ｘ軸方向に一列に配列された入射面（１１１ａ、１２１ａ、１３１ａ、１４１ａ）から、Ｚ軸方向に延在する第１の直線部（１１１、１２１、１３１、１４１）と、ｉｉ）屈折部（１１２、１２２、１３２、１４２）と、ｉｉｉ）Ｙ軸方向に延在する第２の直線部（１１３、１２３、１３３）と、ｉｖ）屈折部（１１４，１１５、１２４、１２５、１３４、１３５、１４２）と、ｖ）Ｘ軸方向に延在し、端部にＹ軸方向に一列に配列された出射面（１１６ａ、１２６ａ、１３６ａ、１４３ａ）を有する第３の直線部（１１６、１２６、１３６、１４３）と、を含む。第２の直線部（１１３、１２３、１３３）のＹ軸方向における高さは、入射面（１１１ａ、１２１ａ、１３１ａ、１４１ａ）の配列方向に沿って順番に小さくなるように設定される。【図１】
0006463563.tif 000002
【図２Ａ】
0006463563.tif 000003
【図２Ｂ】
0006463563.tif 000004
【図２Ｃ】
0006463563.tif 000005
【図３Ａ】
0006463563.tif 000006
【図３Ｂ】
0006463563.tif 000007
【図３Ｃ】
0006463563.tif 000008
【図４】
0006463563.tif 000009
【図５】
0006463563.tif 000010
【図６】
0006463563.tif 000011
【図７】
0006463563.tif 000012
【図８】
0006463563.tif 000013
【図９】
0006463563.tif 000014
【図１０】
0006463563.tif 000015
【図１１】
0006463563.tif 000016
【図１２】
0006463563.tif 000017